(57)【特許請求の範囲】
【請求項１】
第１の層であって、当該第１の層の中に組み込まれた第１のヒータを有する、第１の層と、
前記第１の層に取り付けられた第２の層であって、第１の温度値を測定するために、当該第２の層の中に組み込まれた少なくとも１つの第１のサーミスタを有する、第２の層と、
少なくとも１つの第３の層であって、少なくとも１つの第２の温度値を測定するために、前記第１のサーミスタから隔てられて当該第３の層に組み込まれた少なくとも１つの第２のサーミスタを有し、当該少なくとも１つの第３の層は、体から前記層を通って逃げる熱流束を伝導するために、前記体の表面の皮膚に接触するよう適合され、前記第１の温度値と前記第２の温度値との間の差は、前記体からの熱流束を示す、第３の層と、
第１のヒータから発せられた熱を制御して、前記熱流束がゼロに達するまで、前記熱流束に反対に前記発せられた熱を向けるようにし、さらに、体温を示す、前記熱流束がゼロでの前記少なくとも１つの第２のサーミスタの温度を読み取る処理ユニットと、
前記熱流束がゼロでの、少なくとも１つの第２のサーミスタで測定された温度を、レシーバを含む外部モニタリングデバイスへと送信するための、送信機と、
を含み、
前記第１の層、前記第２の層及び少なくとも前記第３の層は、織物層であり、
前記第１のヒータは、導電性の糸を布地へと、縫い合わす、織る、編む若しくは積層することにより作られる、又は導電性インク若しくは導電性ペーストを使用して前記第１の層上に印刷される、
体温測定のための、温度センサ。
【請求項２】
前記第１の層、前記第２の層及び前記第３の層は、合わせて縫い合わされる若しくは積層される、織り交ぜられる又はそれらの組み合わせである、請求項１に記載の温度センサ。
【請求項３】
前記第１の層及び前記第２の層は、同じ布地で作られ、単一機能層を形成し、
前記単一機能層は、前記単一機能層の中に組み込まれた前記第１のヒータ及び前記少なくとも１つの第１のサーミスタを有し、
前記第１のヒータ及び前記少なくとも１つの第１のサーミスタは、互いに隔てられる、
請求項１に記載の温度センサ。
【請求項４】
前記第１のヒータの寸法は、前記体温測定が行われる深さが大きくなればなるほど、前記第１のヒータの寸法が大きくなるよう、前記体温測定の深さに適合される、請求項１に記載の温度センサ。
【請求項５】
前記第１のヒータは、５Ω／ｍと１５０Ω／ｍとの間の抵抗を有する導電性材料で作られる、請求項１に記載の温度センサ。
【請求項６】
前記第１のサーミスタ及び前記第２のサーミスタは、織られた、縫い合わされた又は編まれた導電回路に取り付けられる、請求項１に記載の温度センサ。
【請求項７】
前記導電回路は、２０Ω／ｍより小さい抵抗を有する、導電性材料で作られる、請求項６に記載の温度センサ。
【請求項８】
前記織物層は、織布又は不織布で作られる、請求項１に記載の温度センサ。
【請求項９】
前記第２の層と前記少なくとも第３の層とは、可撓性を有する断熱層により隔てられる、請求項１に記載の温度センサ。
【請求項１０】
前記第１の層の上に適用された、絶縁層を更に含む、請求項１に記載の温度センサ。
【請求項１１】
パッチに一体化される、請求項１に記載の温度センサ。
【請求項１２】
前記第３の層の周囲に配置され、前記第３の層の周囲で、第３の温度値を測定するよう適合された、第３のサーミスタを更に含み、
前記第２の温度値と前記第３の温度値との間の差は、前記第３の層内の水平方向の熱流束を示す、
請求項１に記載の温度センサ。
【請求項１３】
前記第３の層の周囲に配置され、前記水平方向の熱流束が、前記第３の層内でゼロに達すまで、前記水平方向の熱流束に反対に向けられるよう適合された、第２のヒータを更に含む、請求項１２に記載の温度センサ。
【請求項１４】
前記第２のヒータは、前記第３の層の幾何学的形態に適合される、請求項１３に記載の温度センサ。
【請求項１５】
衣類であって、
当該衣類は、当該衣類の中に組み込まれた、請求項１に記載の温度センサを含み、
当該衣類を前記体上に置くと或いは前記体に着せると、前記少なくとも１つの第３の層が、前記体の表面の皮膚に接触する、
衣類。
【発明の詳細な説明】
【技術分野】
【０００１】
本発明は、体温測定に関する温度センサと該温度センサを含む衣類とに関する。
【背景技術】
【０００２】
近年、中核体温センサの開発において、相当な発展がある。熱流束温度センサは、そのような体温センサの一例であるが、測定は、いわゆる、熱流束ゼロの原理に基づいている。しかし、この原理は、患者の連続的な温度モニタリングのための、“低出力中核体温モニタリング”で使用される。この原理によると、中核体温は、例えば、患者の前額部の皮膚上にセンサを配置することにより測定される。正確な体温測定には、皮膚とセンサとの間に空隙が無いということを保証するよう、センサがその皮膚表面にフォローする（ｆｏｌｌｏｗ）よう、センサが可撓性であるということを必要とする。さもなければ、測定精度に悪影響を有しうる。
【０００３】
従来技術の熱流束温度センサは、いくぶん可撓性であるとはいえ、例えば、センサが外科処置の間中核体温を測定し、患者が動かない、外科処置の間、高鋭敏用途（ａｃｕｉｔｙ  ａｐｐｌｉｃａｔｉｏｎｓ）のために適切である。
【０００４】
しかしながら、例えば、新生児の体温をモニタリングするための、皮膚が実際により動いている用途又はより一般的な使用（例えば、病院の外側で）に関して、それらの使用は、皮膚表面にフォローする必要がある可撓性の欠如により、いくぶん制限される。また、従来技術のセンサは、患者の状況（ａｐｐｅａｒａｎｃｅ）を変える、皮膚上に粘着用テープを必要とする新生児に関して、又は、患者の前額部で見える非高鋭敏用途に関してのいずれかで、ひどく目立つ（ｏｂｔｒｕｓｉｖｅ）。
【発明の概要】
【０００５】
本発明の目的は、可撓性を高めた温度センサを供することにより、上述の課題を克服することである。
【０００６】
第１の様態によると、本発明は、
第１の層であって、当該第１の層に組み込まれた中心となる（ｃｅｎｔｒａｌ）ヒータを有する、第１の層、
前記第１の層に取り付けられた第２の層であって、第１の温度値を測定するために、当該第２の層に組み込まれた少なくとも１つの第１のサーミスタを有する、第２の層、
少なくとも１つの第３の層であって、少なくとも１つの第２の温度値を測定するために、前記第１のサーミスタから隔てられた、当該第３の層に組み込まれた少なくとも１つの第２のサーミスタを有する、第３の層、
を含み、
少なくとも１つの前記第３の層は、体から、前記第１の層、前記第２の層及び前記第３の層を通って、逃げる熱を伝導するために、前記体の表面の皮膚に接触するよう適合され、
前記第１の温度値と前記第２の温度値との間の差は、前記体からの鉛直な熱流束を示し、
前記中心となるヒータから発せられた熱は、熱流束がゼロに達するまで、前記鉛直な熱流束に反対に向けられ、
熱流束がゼロでの、前記少なくとも１つの第２のサーミスタでの温度は、体温を示し、
前記第１の層、前記第２の層及び少なくとも前記第３の層は、織物層である、
体温測定のための、温度センサに関する。
【０００７】
したがって、体の皮膚にフォローし、帽子、赤ちゃん用帽子、ヘッドバンド、シャツ、おむつ並びにベルトといった衣類に、及び、体に接触する枕、毛布若しくは腰掛けといった寝台オブジェクトでさえに、容易に統合できる、非常に可撓性のある温度センサが供される。可撓性の体温により提供される他の利点は、高鋭敏設定では重大ではないが、低鋭敏設定及び病院の外での使用で非常に重要である、快適さである。
【０００８】
一実施様態において、層は、縫い合わされる若しくは、織り交ぜられて一緒に積層される、又はそれらの組み合わせである。
【０００９】
一実施様態において、第１の層及び第２の層は、同じ布地で作られ、中心となるヒータ及び少なくとも１つのサーミスタを、それらが互いに隔てられるように、層内に組み込まれて、有する、単一の機能層を形成する。
【００１０】
一実施様態において、中心となるヒータは、伝導性の織り糸を使用して、第１の層に、縫い合わされる、又は刺しゅうされる、又は紡がれる、又は積層される。伝導性の織り糸は、例えば、銀コーティングポリエステルといった金属コーティングポリマー、ステンレスチール（含有）織り糸又は銅ワイヤ（銀被覆有又は無しの）であり得る。
【００１１】
一実施様態において、中心となるヒータの寸法は、測定される深さが大きくなればなるほど、中心となるヒータの寸法が大きくなるよう、測定の深さに適合される。
【００１２】
一実施様態において、中心となるヒータは、導電性インク又は導電性ペーストを使用して、第１の層上に印刷される（ｐｒｉｎｔｅｄ）。
【００１３】
一実施様態において、５−１５０Ω／ｍ間の抵抗を有する導電性材料で作られる。
【００１４】
一実施様態において、サーミスタは、織られた、縫い合わされた又は編まれた導電回路に取り付けられる。
【００１５】
一実施様態において、導電回路は、２０Ω／ｍより低い抵抗を有する導電性材料で作られる。
【００１６】
一実施様態において、織物層は、織布又は不織布で作られる。
【００１７】
一実施様態において、第２の層及び少なくとも第３の層は、可撓性の断熱層により隔てられる。可撓性の断熱層は、例として：ネオプレン（ポリクロロプレン）、ＰＶＤＦ、ＥＰＤＭ（エチレン  プロピレン  ジエン  モノマー）及び、ポリエチレン（ＰＥ）、ポリプロピレン（ＰＰ）、メチルアクリレート（ＥＭＡ）、エチレンビニルアセテート（ＥＶＡ）、ポリオレフィンの発砲型（ｆｏａｍ  ｔｙｐｅ）材料：から選択されても良い。
【００１８】
一実施様態において、温度センサはさらに、第１の層の上に適用された絶縁層を含む。その方法において、熱損失を防ぐことができ、したがって、センサを実行するために、より少ない出力が必要とされる。
【００１９】
一実施様態において、温度センサはさらに、少なくとも１つの第２のサーミスタで測定された温度を、ゼロ熱流束で、レシーバを含む外部モニタリングデバイスへと送信するための、送信機を含む。したがって、温度は、例えばワイヤレス通信リンクを介して、連続的にモニタリングすることができる。これは、例えば、新生児をモニタリングするとき、測定される体温が、外部モニタリングデバイス（例えば、ベビーモニタ（ｂａｂｙｐｈｏｎｅ））上に表示される、特別な利点である。
【００２０】
一実施様態において、温度センサは、パッチ（ｐａｔｃｈ）に統合される。
【００２１】
一実施様態において、パッチはさらに、少なくとも１つの第２のサーミスタからの出力を、ゼロ熱流束で測定された体温へと変換するための処理ユニット、バッテリー及び測定された体温を示すためのインジケーター手段を含む。このパッチは、再使用可能である又は使い捨てできる、のいずれかであるよう、作ることができる。したがって、これにより、例えば、より少ない子供たちに関して、控え目な（ｕｎｏｂｔｒｕｓｉｖｅ）温度モニタリングが可能となる。
【００２２】
一実施様態において、温度センサはさらに、第３の層の周囲（ｐｅｒｉｐｈｅｒｙ）に配置され、第３の層の周囲で第３の温度値を測定するよう適合された、副（ｓｉｄｅ）サーミスタを含む。第２の温度値と第３の温度値との間の差は、第３の層内の水平方向の熱流束を示す。
【００２３】
一実施様態において、温度センサはさらに、水平方向の熱流束が第３の層内でゼロに達するまで、熱に反対に向けられるよう適合された、第３の層の周囲に配置された、副ヒータを含む。
【００２４】
したがって、横方向の（ｌａｔｅｒａｌ）熱損失を防ぐことが可能である。しかし、横方向の熱損失の最大の源は、垂直ではなく、対角線上に進む、中枢部（ｂｒａｉｎ）から逃げる熱である。第３の層内のサーミスタとともに、さらなる副サーミスタを使用することで、横方向の熱流束を検出することが可能となる。したがって、横方向の熱流束がゼロになるよう、副ヒータを操作することが可能である。これにより、温度プロファイルが横方向で均一となり、問題点を一次元（ｄｉｍｅｎｓｉｏｎ）に減らす。
【００２５】
第２の様態によると、本発明は、衣類に関し、当該衣類は、当該衣類が体上に配置される又は体に着られているときに、少なくとも１つの前記第３の層が、前記体の表面の皮膚に接触するよう、当該衣類に組み込まれた前記温度センサを含む。上述されたように、そのような衣類は、例として、帽子、赤ちゃん用帽子、ヘッドバンド、シャツ、おむつ並びにベルト、及び、体に接触する枕、毛布若しくは腰掛けといった寝台オブジェクトでさえ、かつ、それと同様のものを含んでも良い。
【００２６】
本発明の様態は、各々、他の様態のいずれとも組み合わせることができる。本発明のこれら及び他の様態は、この後述べられる実施形態を参照して、明らかにされ、明瞭にされるであろう。
【００２７】
本発明の実施形態は、ほんの一例として、図面を参照して述べられるであろう。
【図面の簡単な説明】
【００２８】
【図１】図１は、本発明に係る、体温測定のための温度センサの一実施形態を示す。
【図２】図２は、温度センサ又はパッチ又は衣類に組み込まれるよう適合されたシステムを示す。
【図３】図３は、衣類であって、当該衣類に組み込まれた図１からの温度センサを含む、衣類を示す。
【発明を実施するための形態】
【００２９】
図１は、本発明に係る、体温測定のための、温度センサ１００の一実施形態を示す。温度センサ１００は、その中に組み込まれた中心となるヒータ１０７を有する第１の層１０４と、第１の温度値ｔｆｉｒｓｔを測定するために、その中に組み込まれた少なくとも１つの第１のサーミスタ（Ｔｔｏｐ）１０８を有する、前記第１の層１０４に取り付けられた第２の層１０３と、少なくとも１つの第２の温度値ｔｓｅｃｏｎｄを測定するために、前記第１のサーミスタ（Ｔｔｏｐ）１０８から隔てられて、その中に組み込まれた少なくとも１つの第２のサーミスタ（Ｔｂｏｔｔｏｍ）１０９を有する第３の層１０１と、を含む。第３の層１０１は、体から層を通って逃げる熱を伝導するために、体の表面１０６の皮膚に接触するよう適合される。第１の温度値と第２の温度値との差、即ちｔｓｅｃｏｎｄ−ｔｆｉｒｓｔは、体からの鉛直方向の熱流束を示す。中心となるヒータ１０７は、熱流束がゼロに達するまで、即ちｔｓｅｃｏｎｄ＝ｔｆｉｒｓｔまで、鉛直方向の熱流束ｔｓｅｃｏｎｄ−ｔｆｉｒｓｔに反対に向けられるように適合される。この鉛直方向の熱流束ゼロで、第２サーミスタ（Ｔｂｏｔｔｏｍ）１０９での熱流束ゼロでの温度は、体温又はより具体的には中核体温を示す。織物層は、布地又は非布地で作ることができる。各々の層の厚さは、通常、ミリメータ領域であうが、ミリメータより小さくても適当になり得る。
【００３０】
第２の層１０３及び第３の層１０４はさらに、各々の層のサーミスタが取り付けられる、織られた、縫い合わされた又は編まれた導電回路を、各々含んでも良い。サーミスタは、はんだ付け、締め付け（ｃｌａｍｐｉｎｇ）又は導電性エポキシ樹脂若しくは異方性導電フィルム／異方性導電ペースト（ＡＣＦ／ＡＣＰ）を使用して、取り付けることができる。導電回路は、例えば、布地へと縫い合わされた、織られた、編まれた又は積層された導電性織り糸を使用して、（一般的な）アース端子及び信号線で作ることができる。一実施形態において、導電回路は、２０Ω／ｍより小さい抵抗を有する導電性材料で作られる。
【００３１】
第１の層、第２の層及び少なくとも第３の層は、織物層１０４、１０３、１０１であり、センサを柔らかく、可撓性を有させる及び薄くする、縫い合わされる若しくは一緒に積層される、織り交ぜられる、又はそれらの組み合わせであっても良い。
【００３２】
一実施形態において、温度センサ１００はさらに、例えば、そういうわけで、説明的な目的で、すばらしく説明に役立つ形状（図）を示すような、透明であっても良い、絶縁材料で作られる最上層１０５を含む。
【００３３】
一実施形態において、第１の層１０４及び第２の層１０３は、同じ布地から作られ、同じ布地上で、サーミスタ（Ｔｔｏｐ）１０８及び加熱エレメント１０７の両方を含む、単一層１１０の一部を形成し、この単一層１１０は、サーミスタ（Ｔｔｏｐ）１０８及び加熱エレメント１０７の両方を含む。サーミスタ（Ｔｔｏｐ）１０８と、加熱エレメント１０７との間のショートを防ぐよう注意されなければならない。
【００３４】
一実施形態において、第１の層１０４及び第２の層１０３に加えて、第３の層１０１及びサーミスタ（Ｔｂｏｔｔｏｍ）１０９は、同じ布地上で単一層１１１の一部を形成する。３Ｄ織物技術（ｋｎｉｔｔｉｎｇ  ｔｅｃｈｎｏｌｏｇｉｅｓ）で、２つ（以上の）最上層と一体にした間隔織物（ｓｐａｃｅｒｆａｂｒｉｃｓ）を作ることが可能である。
【００３５】
一実施形態において、第２の層及び少なくとも第３の層は、例えば、ネオプレン（ポリクロロプレン）、エチレン  プロピレン  ジエン  モノマー（ＰＶＤＦ、ＥＰＤＭ）及び、ポリエチレン（ＰＥ）、ポリプロピレン（ＰＰ）、メチルアクリレート（ＥＭＡ）、エチレンビニルアセテート（ＥＶＡ）、ポリオレフィンの発砲型（ｆｏａｍ  ｔｙｐｅ）材料で作られる、可撓性の断熱層１０２により隔てられる。
【００３６】
図１で示される実施形態を参照して、５つの層１０１−１０４は、縫い合わされる又は一緒に積層されても良い。又は、層のいくつかを１つの布地に結合することも可能である。
【００３７】
一実施形態において、中心となるヒータ１０７は、測定されるはずの深さが大きくなればなるほど、ヒータの横断面（ｃｒｏｓｓ  ｓｅｃｔｉｏｎ）が大きくなるよう、測定の深さに適合される横断面を有する。横断面の例は、ミリメートルから数センチメートルに至るまでの中の横断面である。中心となるヒータは、導電性織り糸を布地へと、縫い合わす、織る、編む又は積層することにより、作ることができ、導電性織り糸は、（必要ではないが）絶縁ポリマー層によって囲まれても良く、又は、導電性インク若しくは導電性ペーストを使用して、第１の層に印刷されても良い。一実施形態において、ヒータの抵抗は、およそ１００ｍＷを供給する（ｄｅｌｉｖｅｒ）ことができるものである。図１で示されるセットアップを参照して、これは、５Ωと５０Ωとの間の抵抗に対応する。このことは、導電性ワイヤの長さを、抵抗に適合させることにより達成することができる。例として、２５ｃｍの、８０Ω／ｍのステンレススチールワイヤは、２０Ωである。中心となるヒータの形状は、好ましくは、より下層での均質な温度プロファイルを生じさせるものであるべきである。この形状は、例として、らせん状構造であり得るが、他の形状も勿論可能である。
【００３８】
第３の層１０１は、少なくとも１つのサーミスタ及び該サーミスタに接続される導電回路を組み込む、織物層である。サーミスタは、はんだ付け、締め付け又は導電性エポキシ樹脂若しくはＡＣＦ／ＡＣＰを使用して、取り付けることができる。導電回路は、（一般的な）アース端子及び信号線で構成され、布地へと縫い合わされる、織られる、編まれる又は積層される、導電性織り糸を使用して作ることができる。導電回路は、それが皮膚（１０６）と接触するように、衛生的な層／塗料の中で若しくは説明的な案の一環として（ｏｒ  ａｓ  ｐａｒｔ  ｏｆ  ａｎ  ｉｌｌｕｓｔｒａｔｉｖｅ  ｄｅｓｉｇｎ）、又は衛生的な層／塗料に関して、作ることができる。
【００３９】
一実施形態において、温度センサ１００はさらに、少なくとも１つの第２のサーミスタで測定された温度を、ゼロ熱流束で、レシーバを含む外部モニタリングデバイスへと送信するための、（図示しない）送信機を含む。そのようなモニタリングデバイスは、例として、初期の間（ｄｕｒｉｎｇ  ｔｈｅ  ｆｉｒｓｔ  ｄａｙｓ）連続的に新生児の体温をモニタリングする、処理ユニットをさらに含む、ベビーモニタ又はある外部モニタリングユニットであっても良い。
【００４０】
温度センサ１００は、この特定の数の層に限定されないということが、言及されるべきである。層の数は、４又は５つの層より多くを好都合に含むことができ、また、サーミスタの数は２つのサーミスタ１０８及び１０９に制限される必要はない。しかし、３つ又はそれより多くが、鉛直方向の熱流束を測定するのに、好都合に実行され得る。
【００４１】
これより、計測された熱流束は、ｔｓｅｃｏｎｄ−ｔｆｉｒｓｔに比例する、鉛直方向の熱流束である。
【００４２】
一実施形態において、温度センサ１００はさらに、第３の層１０１の周囲に配置され、第３の層１０１の周囲での、第３の温度値ｔｔｈｉｒｄを測定するように適合された、副サーミスタ（Ｔｓｉｄｅ）１１２を含む。第２の温度値と第３の温度値との間の差、即ちｔｔｈｉｒｄ−ｔｓｅｃｏｎｄは、第３の層１０１内の水平方向の熱流束を示す。水平方向の熱流束による熱損失を相殺するために、副ヒータ１１３は、水平方向の熱流束が、第３の層内で、ゼロに達するまで、熱流束ｔｔｈｉｒｄ−ｔｓｅｃｏｎｄに対して反対に向けられるよう適合されて、第３の層の周囲に配置される。一実施形態において、副ヒータ１１３は、実質的に、第３の層と同じ形状（ｇｅｏｍｅｔｒｙ）を有する。例えば、（もし第３の層が輪状であるなら）中心となるヒータと併せて上述されたような、同様の要素で作られた輪状である。したがって、副ヒータ１１３は、水平方向の熱流束によって制御され、中心となるヒータ１０７は、鉛直方向の熱流束によって制御される。そのような副ヒータ１１３を使用する理由の１つは、横方向の熱損失を防ぐことである。横方向の熱損失の最大の源は、垂直ではなく、対角線上に進む、中枢部（ｂｒａｉｎ）から逃げる熱である。そのため頭蓋骨（ｓｋｕｌｌ）内の温度プロファイルは、２次元になる。副ヒータは、温度プロファイルを横方向で均一とし、問題点を一次元に減らす。周囲でのサーミスタ１１２は、この横方向の温度プロファイルを検出するよう使用される。横方向の熱損失の小さな源は、センサの中央からセンサの側面へと逃げている熱である。しかしこれは、センサの平坦性を考慮すると最小量である。
【００４３】
一実施形態において、温度センサ１００は、（図示しない）パッチに一体にされ、パッチはさらに、少なくとも１つの第２のサーミスタからの出力を、ゼロ熱流束で測定された体温へと変換するための、マイクロプロセッサといった処理ユニット（Ｐ）２０１、バッテリー（Ｂ）２０３及び測定された体温を示すためのインジケーター手段（Ｉ＿Ｍ）２０２を含む。インジケーター手段（Ｉ＿Ｍ）２０２は、例として、カラーディスプレイといった、ディスプレイであっても良い。インジケーター手段（Ｉ＿Ｍ）２０２は、測定された体温を、レシーバ（例えばベビーモニタ）を含むモニタリングデバイスに、送信するための、送信機（Ｔ）２０４に置換えられても良い。このパッチは、再使用可能である又は使い捨てできる、のいずれかであるよう、作ることができる。したがって、これにより、例えば、より少ない子供たちに関して、控え目な（ｕｎｏｂｔｒｕｓｉｖｅ）温度モニタリングが可能となる。
【００４４】
ここでは描かれてないが、図２で示されるシステム２００は、温度センサ１００に一体化されても良い。
【００４５】
図３は、衣類３０１であって、当該衣類が体上に配置される又は体に着られているときに、少なくとも１つの前記第３の層が、前記体の表面の皮膚に接触するよう、当該衣類に組み込まれた、図１からの温度センサ１００を含む、当該衣類３０１を示す。そのような衣類の例は、マットレス、寝袋、枕、シーツ、毛布、ベルトなどである。
【実施例】
【００４６】
初期の間、新生児は、一定の温度を保つのが難しくなり得る。したがって、温度を頻繁に測定することと、それに応じて衣類及び暖房を調節することが推奨される。冷た過ぎることは良くないが、過熱はさらにより危険である。現在のベビーモニタは、部屋の温度を示すが、赤ん坊の体温を示さない。
【００４７】
この例において、温度センサ１００は、赤ん坊用帽子に一体化され、前記赤ん坊用帽子が赤ん坊によってかぶられるとき、センサは、測定のために、前額部上に、自動的に上手く配置される。これにより、初期の間、連続的に赤ん坊の体温を測定し、バイベモニタ３０２上に、例えば無線リンクを介して表示されることができる。しかしながら、一体化の可能性は、赤ん坊用帽子に限定されない；しかし、赤ん坊の周囲の如何なる布地（マットレス、寝袋、枕、シーツ、毛布、など）に拡張することができる。この例において、帽子２０１はさらに、図２で示されるシステム、即ちバッテリー（Ｂ）２０３、信号処理のためのマイクロコントローラ（Ｍ＿Ｃ）２０５を含む。しかしながら、インジケーター手段（Ｉ＿Ｍ）２０２の代わりに、システムは、信号をベビーモニタ２０２へと送信するための、送信機（Ｔ）２０４を含む。臨床的応用に関して、信号は、無線患者モニタリングシステム又はベッドサイドモニタに送られても良い。
【００４８】
開示された実施形態のある特定の詳細は、本発明の明確、かつ、完全な理解を供するために、限定よりも寧ろ説明の目的で記載される。しかしながら、本開示の精神及び範囲から実質的に逸脱することなく、本発明は、ここで記載された詳細に正確には一致しない、他の実施形態で実行され得るということが、当業者によって理解されるべきである。さらに、このコンテクストにおいて、簡潔さと明確さの目的で、従来の装置、回路及び手順の詳細な説明は、不必要な詳細及び起こりうる困惑を避けるために、除外されている。
【００４９】
参照符号が特許請求の範囲で含まれるが、参照符号の含有は、単に明確性の理由であり、特許請求の範囲の範囲を制限するよう解釈されるべきではない。
【図１】
0005654567.tif 000002
【図２】
0005654567.tif 000003
【図３】
0005654567.tif 000004